【事件の表示】
　特願２００９−５０５２７１「マルチキャリア無線ネットワークにおけるブロードキャスト重畳及び除去装置とその方法」拒絶査定不服審判事件〔平成１９年１１月　８日国際公開、ＷＯ２００７／１２６１８２、平成２１年　９月１７日国内公表、特表２００９−５３３９３３〕について、次のとおり審決する。
【結　論】
　本件審判の請求は、成り立たない。
【理　由】
第１．手続の経緯
　本願は、２００６年８月２５日（パリ条約による優先権主張・外国庁受理２００６年５月１日　米国）を国際出願日とする出願であって、平成２４年２月２８日に拒絶査定がなされ、これに対し、同年７月５日に拒絶査定に対する審判請求がなされるとともに同日付けで手続補正がなされたものである。
　
第２．補正却下の決定
［補正却下の決定の結論］
　　平成２４年７月５日付けの手続補正を却下する。
　
［理由］
１．本願発明と補正後の発明
　上記手続補正（以下、「本件補正」という。）は、本件補正前の平成２３年１１月９日付けの手続補正書の特許請求の範囲の請求項１に記載された、
　
　「【請求項１】
　直交周波数分割多重化（ＯＦＤＭ）無線ネットワークのサービスエリアで複数の加入局と通信することができるＯＦＤＭ無線ネットワークで使用される基地局であって、
　前記基地局は、第１の時間スロットで第１のＯＦＤＭシンボルを送信することができ、
　前記第１のＯＦＤＭシンボルは、複数の第１の加入局に送信されるブロードキャストデータが少なくとも１つの選択された加入局に送信されるユニキャストデータに重畳されている複数の第１のサブキャリアを含むことを特徴とする基地局。」
　
という発明（以下、「本願発明」という。）を、平成２４年７月５日付け手続補正書の特許請求の範囲の請求項１に記載された、
　
　「【請求項１】
　直交周波数分割多重化（ＯＦＤＭ）無線ネットワークのサービスエリアで複数の加入局と通信することができるＯＦＤＭ無線ネットワークで使用される基地局であって、
　前記基地局は、第１の時間スロットで第１のＯＦＤＭシンボルを送信することができ、
　前記第１のＯＦＤＭシンボルは、複数の第１の加入局に送信されるブロードキャストデータが少なくとも１つの選択された加入局に送信されるユニキャストデータに重畳されている複数の第１のサブキャリアを含み、
　前記第１のＯＦＤＭシンボルは、前記ブロードキャストデータの周波数領域変調シンボルと前記ユニキャストデータの周波数領域変調シンボルとを合算した値をＩＦＦＴブロックの選択された入力に印加することにより生成され、
　スペクトル効率を高くするように、ブロードキャストトラフィックとユニキャストトラフィックとの間に適応的に電力を割り当てる
　ことを特徴とする基地局。」
　
という発明（以下、「補正後の発明」という。）に補正することを含むものである。
　
２．新規事項の有無、補正の目的要件について
　本件補正は、願書に最初に添付した明細書、特許請求の範囲又は図面に記載した事項の範囲内において、本願発明の請求項１に記載された「第１のＯＦＤＭシンボル」について、さらに「前記第１のＯＦＤＭシンボルは、前記ブロードキャストデータの周波数領域変調シンボルと前記ユニキャストデータの周波数領域変調シンボルとを合算した値をＩＦＦＴブロックの選択された入力に印加することにより生成され、」という構成を付加するとともに、「スペクトル効率を高くするように、ブロードキャストトラフィックとユニキャストトラフィックとの間に適応的に電力を割り当てる」という構成を付加して特許請求の範囲を減縮するものである。
　したがって、本件補正は、特許法第１７条の２第３項（新規事項）及び平成１８年法律第５５号改正附則第３条第１項によりなお従前の例によるとされる同法による改正前の特許法第１７条の２第４項（補正の目的）の規定に適合している。
　
３．独立特許要件について
　本件補正は特許請求の範囲の減縮を目的とするものであるから、補正後の発明が特許出願の際独立して特許を受けることができるものであるのかどうかについて以下に検討する。
　
（１）補正後の発明
　上記「１．本願発明と補正後の発明」の項で「補正後の発明」として認定したとおりである。
　
（２）引用発明
　原審の拒絶理由に引用された、米国特許出願公開第２００５／００５８０８９号明細書（以下、「引用例」という。）には「MULTIPLEXING AND TRANSMISSION OF MULTIPLE DATA STREAMS IN A WIRELESS MULTI-CARRIER COMMUNICATION SYSTEM」（当審仮訳：「無線マルチキャリア通信システムにおける複数のデータストリームの多重化と送信」）として図面とともに以下の事項が記載されている。
　
　イ．「[0004] II. Background
[0005] A multi-carrier communication system utilizes multiple carriers for data transmission. These multiple carriers may be provided by orthogonal frequency division multiplexing (OFDM), some other multi-carrier modulation techniques, or some other construct. OFDM effectively partitions the overall system bandwidth into multiple orthogonal subbands. These subbands are also referred to as tones, carriers, subcarriers, bins, and frequency channels. With OFDM, each subband is associated with a respective subcarrier that may be modulated with data.
[0006] A base station in a multi-carrier system may simultaneously transmit multiple data streams for broadcast, multicast, and/or unicast services. A data stream is a stream of data that may be of independent reception interest to a wireless device. A broadcast transmission is sent to all wireless devices within a designated coverage area, a multicast transmission is sent to a group of wireless devices, and a unicast transmission is sent to a specific wireless device. For example, a base station may broadcast a number of data streams for multimedia (e.g., television) programs via a terrestrial radio link for reception by wireless devices. This system may employ a conventional multiplexing and transmission scheme such as, for example, Digital Video Broadcasting-Terrestrial (DVB-T) or Integrated Services Digital Broadcasting-Terrestrial (ISDB-T). Such a scheme would first multiplex all of the data streams to be transmitted onto a single high-rate composite stream and then process (e.g., encode, modulate, and up-convert) the composite stream to generate a modulated signal for broadcast via the radio link.
[0007] A wireless device within the coverage area of the base station may be interested in receiving only one or few specific data streams among the multiple data streams carried by the composite stream. The wireless device would need to process (e.g., down-convert, demodulate, and decode) a received signal to obtain a high-rate decoded data stream and then demultiplex this stream to obtain the one or few specific data streams of interest. This type of processing may not be a problem for receiver units intended to be powered on all the time, such as those used in homes. However, many wireless devices are portable and powered by internal batteries. Continuous demodulation and decoding of the high-rate composite stream to recover just one or few data streams of interest consumes significant amounts of power. This can greatly shorten the ON time for the wireless devices, which is undesirable.
[0008] There is therefore a need in the art for techniques to transmit multiple data streams in a multi-carrier system such that they can be received by wireless devices, with minimal power consumption.」（１頁左欄１８行〜右欄７行）
　
　（当審仮訳）
　「[0004]　II. 背景技術
［0005］　マルチキャリア通信システムは、データ送信のためのマルチキャリアを利用する。これらのマルチキャリアは、直交周波数分割多重（ＯＦＤＭ）、その他のマルチキャリア変調技術または、その他の構成により提供されてもよい。ＯＦＤＭは、全体のシステム帯域幅を複数の直交サブバンドに効率的に分割する。これらのサブバンドはまた、トーン、キャリア、サブキャリア、ビンおよび周波数チャネルと呼ばれる。ＯＦＤＭの場合、各サブバンドは、データを用いて変調してもよいそれぞれのサブキャリアに関連する。
［0006］ マルチキャリアシステム内の基地局は、同時にブロードキャスト、マルチキャストおよび／またはユニキャストサービスのために複数のデータストリームを送信してもよい。データストリームは、無線装置に関係させる独立した受信であってもよいデータのストリームである。ブロードキャスト送信は、指定されたサービスエリア内のすべての無線装置に送信され、マルチキャスト送信は、無線装置のグループに送信され、ユニキャスト送信は、特定の無線装置に送信される。例えば、基地局は、無線装置による受信のための地上波無線リンクを介してマルチメディア（例えばテレビジョン）プログラムのための多数のデータストリームをブロードキャストしてもよい。このシステムは、例えば、デジタルビデオブロードキャスティング−地上波（ＤＶＢ−Ｔ）または統合サービスデジタルブロードキャスティング−地上波（ＩＳＤＢ−Ｔ）のような一般的な多重化および送信スキームを採用する。そのようなスキームは最初にデータストリームのすべてを多重化し、単一の高レート複合ストリーム上に送信し、次に、複合ストリームを処理し（例えば、符号化し、変調し、アップコンバートする）、無線リンクを介してブロードキャストのために変調された信号を発生するであろう。
[0007]　基地局のサービスエリア内の無線装置は、複合ストリームにより運ばれた複数のデータストリームの中で唯一つまたは少数の特定のデータストリームを受信することに関心があるかも知れない。無線装置は受信した信号を処理し（例えば、ダウンコンバートし、復調し、および復号する）高レートの復号されたデータストリームを得、次に、このストリーム逆多重化して関心のある１つまたは少数の特定のデータストリームを得るであろう。この種の処理は、家庭で使用される受信機のように常に電力が供給されるように意図された受信機装置にとっては問題でないかもしれない。しかしながら、多くの無線装置は、ポータブルであり、内部バッテリで電力が供給される。関心のある１つのまたは少数のデータストリームをリカバーするために高レート複合ストリームの連続した復調および複合は、著しく電力量を消費する。これは、ワイヤレスデバイスのための「ＯＮ」時間を非常に短くする可能性があり、望ましくない。
[0008]　それゆえ、最小の電力消費で、無線装置により受信することができるようにマルチキャリアシステム内の複数のデータストリームを送信するための技術が技術的に必要である。」
　
　ロ．「[0037] Each base station  110  may broadcast multiple data streams simultaneously to wireless devices within its coverage area. These data streams may be for multimedia content such as video, audio, tele-text, data, video/audio clips, and so on. For example, a single multimedia (e.g., television) program may be sent in three separate data streams for video, audio, and data. A single multimedia program may also have multiple audio data streams, e.g., for different languages. For simplicity, each data stream is sent on a separate physical layer channel (PLC). There is thus a one-to-one relationship between data streams and PLCs. A PLC may also be called a data channel, a traffic channel, or some other terminology.」（２頁右欄２８行〜４０行）
　
　（当審仮訳）
　「[0037]　各基地局１１０は、そのサービスエリア内の無線装置に複数のデータストリームを同時にブロードキャストしてもよい。これらのデータストリームは、ビデオ、オーディオ、テレテキスト、データ、ビデオ／オーディオクリップ、等のようなマルチメディアコンテンツのためのものであってよい。例えば、単一のマルチメディア（例えば、テレビジョン）プログラムは、ビデオ、オーディオ、およびデータのための３つの別個のデータストリームで送信してもよい。単一のマルチメディアプログラムもまた、複数のオーディオデータストリームを、例えば異なる言語のために有していてもよい。簡単にするために、各データストリームは、別個の物理層チャネル（ＰＬＣ）に送信される。従って、データストリームとＰＬＣｓとの間には１対１の関係がある。また、ＰＬＣはデータチャネル、トラフィックチャネル、またはその他の用語で呼んでもよい。」
　
　ハ．「[0084] In an embodiment, each data stream may be transmitted with or without layered coding, where the term coding in this context refers to channel encoding rather than source encoding at a transmitter. A data stream may be comprised of two substreams, which are called a base stream and an enhancement stream. In one embodiment, the base stream may carry information sent to all wireless devices within the coverage area of the base station. The enhancement stream may carry additional information sent to wireless devices observing better channel conditions. With layered coding, the base stream is encoded and modulated in accordance with a first mode to generate a first modulation symbol stream, and the enhancement stream is encoded and modulated in accordance with a second mode to generate a second modulation symbol stream. The first and second modes may be the same or different. The two modulation symbol streams are then combined to obtain one data symbol stream.」（７頁右欄５行〜２２行）
　
　（当審仮訳）
　「[0084]　一実施形態において、各データストリームは階層化コーディングを伴うまたは伴わないで送信してもよい。この場合、この文脈における用語「コーディング」は送信機におけるソース符号化よりもむしろチャネル符号化を指す。データストリームは、２つのサブストリームから構成してもよく、これはベースストリームおよびエンハンスメントストリームと呼ばれる。一実施形態において、ベースストリームは、基地局のサービスエリア内のすべての無線装置に送信される情報を運んでもよい。エンハンスメントストリームは、より良いチャネル条件を観察する無線装置に送信されるさらなる情報を運んでもよい。階層化コーディングを用いて、ベースストリームが第１のモードに従って符号化され変調され、第１の変調シンボルストリームを発生する。そして、エンハンスメントストリームは、第２のモードに従って符号化され変調され第２の変調シンボルストリームを発生する。第１のモードと第２のモードは同じであってもよいし、異なっていてもよい。次に、２つの変調シンボルストリームは、結合されて１つのデータシンボルストリームを得る。」
　
　ニ．「[0107] FIG.11 shows a block diagram of a base station 110x, which is one of the base stations in system 100. At base station 110x, a transmit (TX) data processor 1110 receives multiple (Nplc) data streams (denoted as {d1} through {dNplc}) from one or more data sources 1108, e.g., multiple data sources for different services, where each service may be carried in one or more PLCs. TX data processor 1110 processes each data stream in accordance with the mode selected for that stream to generate a corresponding data symbol stream and provides Nplc data symbol streams (denoted as {sl} through {SNplc}) to a symbol multiplexer (Mux)/channelizer 1120. TX data processor 1110 also receives overhead data (which is denoted as {do}) from a controller 1140, processes the overhead data in accordance with the mode used for overhead data, and provides an overhead symbol stream (denoted as {so}) to channelizer 1120. An overhead symbol is a modulation symbol for overhead data.
[0108] Channelizer 1120 multiplexes the data symbols in the Nplc data symbol streams onto their assigned transmission units. Channelizer 1120 also provides pilot symbols on the pilot subbands and guard symbols on the guard subbands. Channelizer 1120 further multiplexes pilot symbols and overhead symbols in the pilot and overhead section preceding each super-frame (see FIG.2). Channelizer 1120 provides a composite symbol stream (denoted as {sc}) that carries data, overhead, pilot, and guard symbols on the proper subbands and symbol periods. An OFDM modulator 1130 performs OFDM modulation on the composite symbol stream and provides a stream of OFDM symbols to a transmitter unit (TMTR) 1132. Transmitter unit 1132 conditions (e.g., converts to analog, filters, amplifies, and frequency upconverts) the OFDM symbol stream and generates a modulated signal that then is transmitted from an antenna 1134.」（１０頁左欄７行〜４１行）
　
　（当審仮訳）
　「[0107]　図１１は、システムにおける基地局の１つである基地局１１０ｘのブロック図を示す。基地局１１０ｘにおいて、送信（ＴＸ）データプロセッサー１１１０は、例えば異なるサービスのための複数のデータソースから（｛ｄｌ｝乃至｛ｄＮ｝として示される）複数（Ｎｐｌｃ）のデータストリームを受信する。この場合、各サービスは、１つ以上のＰＬＣｓで運んでもよい。ＴＸデータプロセッサー１１１０は、そのストリームのために選択されたモードに従って各データストリームを処理し、対応するデータシンボルストリームを発生し、（｛ｓ１｝乃至｛ＳNplc｝として知られるＮplcのデータシンボルをシンボルマルチプレクサー（Ｍｕｘ）／チャネライザー１１２０に供給する。ＴＸデータプロセッサー１１１０は、また、コントローラー１１４０から（｛ｄ０｝として知られる）オーバーヘッドデータを受信し、オーバーヘッドデータのために使用されるモードに従ってオーバーヘッドデータを処理し、（｛Ｓ０｝として知られる）オーバーヘッドシンボルストリームをチャネライザー１１２０に供給する。オーバーヘッドシンボルは、オーバーヘッドデータのための変調シンボルである。
[0108]　チャネライザー１１２０は、Ｎplcデータシンボルストリーム内のデータシンボルをそれらの割り当てられた送信単位上に多重化する。チャネライザー１１２０はまた、パイロットサブバンド上にパイロットシンボルを供給し、ガードバンド上にガードシンボルを供給する。チャネライザー１１２０は、さらに各スーパーフレームに先行するパイロットおよびオーバーヘッドセクション内のパイロットシンボルおよびオーバーヘッドシンボルを多重化する（図２参照）。チャネライザー１１２０は、適切なサブバンド上のデータ、オーバーヘッド、パイロット、およびガードシンボルおよびシンボル期間を運ぶ（｛ｓc｝として知られる）合成シンボルストリームを提供する。ＯＦＤＭ変調器１１３０は合成シンボルストリーム上でＯＦＤＭ変調を行ない、送信器ユニット（ＴＭＴＲ）１１３２にＯＦＤＭシンボルのストリームを供給する。送信器ユニット１１３２はＯＦＤＭシンボルストリームを条件付けし（例えば、アナログに変換し、フィルターし、増幅し、周波数アップコンバートする）、次にアンテナ１１３４から送信される変調信号を発生する。」
　
　ホ．「[0112] FIG.13 shows a block diagram of an embodiment of TX data processor 1110, channelizer 1120, and OFDM modulator 1130 at base station 110x. TX data processor 1110 includes Nplc TX data stream processors 1310a and 1310p for the Nplc data streams and a data stream processor 1310q for the overhead data. Each TX data stream processor 1310 independently encodes, interleaves, and modulates a respective data stream {di} to generate a corresponding data symbol stream {si}.
[0113] FIG.14 shows a block diagram of a TX data stream processor 1310i, which may be used for each of TX data stream processors 1310 in  FIG.13. TX data stream processor 1310i processes one data stream for one PLC. Data stream processor 1310i includes a base stream processor 1410a, an enhancement stream processor 1410b, and a bit-to-symbol mapping unit 1430. Processor 1410 a processes a base stream for the PLC, and processor 1410b processes an enhancement stream (if any) for the PLC.
[0114] Within base stream processor 1410a, an outer encoder 1412a encodes each data block of base stream data in accordance with, e.g., a Reed-Solomon code to generate an RS code block. An RS code block consists of N outer coded packets. Encoder 1412 a also appends a CRC value to each outer coded packet. This CRC value may be used by a wireless device for error detection (i.e., to determine whether the packet is decoded correctly or in error). An outer interleaver 1414 a partitions each code block into subblocks, interleaves (i.e., reorders) the packets among the different subblocks that are transmitted in each frame, and buffers the subblocks transmitted in the different frames of a super-frame. An inner encoder 1416a then encodes each outer coded packet of a subblock in accordance with, e.g., a Turbo code to generate an inner coded packet. An inner bit interleaver 1418a interleaves the bits within each inner coded packet to generate a corresponding interleaved packet. The encoding by the outer encoder 1412a and inner encoder 1416a increases the reliability of the transmission for the base stream. The interleaving by outer interleaver 1414a and inner interleaver 1418a provides time and frequency diversity, respectively, for the base stream transmission. A scrambler 1420a randomizes the bits in each encoded and bit interleaved packet with a PN sequence and provides scrambled bits to mapping unit 1430.
[0115] Enhancement stream processor 1410b similarly performs processing on the enhancement stream (if any) for the PLC. Processor 1410b may use the same inner code, outer code, and modulation scheme as those used for processor  1410 a, or different ones. Processor 1410b provides scrambled bits for the enhancement stream to mapping unit 1430.
[0116] Mapping unit 1430 receives the scrambled bits for the base and enhancement streams, a gain Gbs for the base stream, and a gain Ges for the enhancement stream. The gains Gbs and Ges determine the amount of transmit power to use for the base and enhancement streams, respectively. Different coverage areas may be achieved for the base and enhancement streams by transmitting these streams at different power levels. Mapping unit 1430 maps the received scrambled bits to data symbols based on a selected mapping scheme and the gains Gbs and Ges. The symbol mapping may be achieved by (1) grouping sets of B scrambled bits to form B-bit binary values, where B#1, and (2) mapping each B-bit binary value to a data symbol, which is a complex value for a point in a signal constellation for the selected modulation scheme. If layered coding is not used, then each data symbol corresponds to a point in a signal constellation such as M-PSK or M-QAM, where M=2B. If layered coding is used, then each data symbol corresponds to a point in a complex signal constellation, which may or may not be formed by the superposition of two scaled signal constellations. For the embodiment described above, the base and enhancement streams carry the same number of code blocks for each super-frame. The code blocks for the base and enhancement streams may be transmitted simultaneously, as shown in FIG.14, or transmitted using TDM and/or FDM.
[0117] Referring back to  FIG. 13 , channelizer  1120  is implemented with a multiplexer  1320  that receives the Nplc data symbol streams, the overhead symbol stream, pilot symbols, and guard symbols. Multiplexer  1320  provides the data symbols, overhead symbols, pilot symbols, and guard symbols onto the proper subbands and symbol periods based on a MUX_TX control from controller  1140  and outputs the composite symbol stream, {sc}. In assigning modulation symbols to the subband groups, a further level of (symbol) interleaving can be performed by assigning modulation symbols in a pseudo-random fashion to the subbands within each subband group. To simplify the assignment of subbands, the PLCs may be assigned slots, as described above. The slots may then be mapped to different subband groups, e.g., in a pseudo-random fashion from one symbol period to the next. This slot to subband group mapping ensures that the modulation symbols associated with a specific slot index have different distances from the pilot subbands for different symbol periods, which may improve performance.」（１０頁右欄４１行〜１１頁右欄９行）
　
　（当審仮訳）
　「[0112]　図１３は、基地局１１０ｘにおけるＴＸデータプロセッサー１１１０、チャネライザー１１２０およびＯＦＤＭ変調器１１３０の実施形態のブロック図を示す。ＴＸデータプロセッサー１１１０は、ＮplcデータストリームのためのＮplcＴＸデータストリームプロセッサー１３１０ｐおよびオーバーヘッドストリームのためのデータストリームプロセッサー１３１０ｑを含む。各ＴＸデータストリームプロセッサー１３１０は、それぞれのデータストリーム｛ｄｉ｝を独立して符号化し、インターリーブし、変調し、対応するデータシンボルストリーム｛ｓｉ｝を発生する。
[0113]　図１４は、図１３のＴＸデータストリームプロセッサー１３１０の各々のために使用してもよい、ＴＸデータストリームプロセッサー１３１０ｉのブロック図を示す。ＴＸデータストリームプロセッサー１３１０ｉは、１つのＰＬＣのための１つのデータストリームを処理する。データストリームプロセッサー１３１０ｉはベースストリームプロセッサー１４１０ａ、エンハンスメントストリームプロセッサー１４１０ｂ、およびビットからシンボルへのマッピングユニット１４３０を含んでいる。プロセッサー１４１０ａは、ＰＬＣのためのベースストリームを処理する。また、プロセッサー１４１０ｂはＰＬＣのためのエンハンスメントストリーム（もしあれば）を処理する。
[0114]　ベースストリームプロセッサー１４１０ａ内では、リードソロモンコードに従ってベースストリームデータの各データブロックを符号化し、ＲＳコードブロックを発生する。ＲＳ符号ブロックはＮの外部の符号化されたパケットから成る。エンコーダー１４１２ａは、また個々の外部の符号化されたパケットにＣＲＣ値を付加する。このＣＲＣ値は、エラー検出のために（すなわち、パケットが正しくまたはエラーで復号されるかどうかを決定するために）無線装置により使用してもよい。外部インターリーバ１４１４ａは各コードブロックを分割し、各フレームにおいて送信される異なるサブブロックの中でパケットをインターリーブ（すなわち、順序付ける）し、スーパーフレームの異なるフレームで送信されるサブブロックをバッファリングする。次に、内部エンコーダー１４１６ａは、例えばターボコードに従ってサブブロックの各外部符号化されたパケットを符号化し、内部符号化されたパケットを発生する。内部ビットインターリーバ１４１８ａは、各内部の符号化されたパケット内のビットをインターリーブし、対応するインターリーブされたパケットを発生する。外部エンコーダー１４１２ａおよび内部エンコーダー１４１６ａによる符号化は、ベースストリームのための送信の信頼性を増加させる。外部インターリーバ１４１４ａおよび内部インターリーバによるインターリービングは、ベースストリーム送信のためにそれぞれ時間および周波数ダイバーシティを供給する。スクランブラー１４２０ａは、ＰＮシーケンスを有した各符号化されビットインターリーブされたパケットをランダム化し、スクランブルしたビットをマッピングユニット１４３０に供給する。
[0115]　エンハンスメントストリームプロセッサー１４１０ｂは同様にＰＬＣのためにエンハンスメントストリーム（もしあれば）に関する処理を実行する。プロセッサー１４１０ｂは、プロセッサー１４１０ａに使用されたものと同じ内部コード、外部コードおよび変調スキームを使用してもよいし、または異なるものを使用してもよい。プロセッサー１４１０ｂは、マッピングユニット１４３０にエンハンスメントストリームのスクランブルされたビットを供給する。
[0116]　マッピングユニット１４３０は、ベースストリームとエンハンスメントストリームのためのスクランブルされたビットと、ベースストリーム用の利得Ｇbsおよび拡張ストリーム用の利得Ｇesを受信する。利得ＧbsおよびＧesは、それぞれベースストリームおよびエンハンスメントストリームに使用する送信電力の量を決定する。これらのストリームを異なる電力レベルで送信することによりベースストリームおよびエンハンスメントストリームのための異なるサービスエリアを得てもよい。マッピングユニット１４３０は、選択されたマッピングスキームおよび利得ＧbsおよびＧesに基づいて受信したスクランブルビットをデータシンボルにマッピングする。シンボルマッピングは（１）Ｂ−ビットのバイナリ値を形成するためにＢのスクランブルされたビットのセットをグループ化する、但しＢ≧１、および（２）選択された変調スキームのための信号星座におけるポイントのための複素数値である各Ｎ−ビットのバイナリ値をデータシンボルに合成値Ｂのセットをグループ化することにより達成されるマッピングすることにより得てもよい。階層化されたコーディングが使用されないなら、各データシンボルは、Ｍ−ＰＳＫまたはＭ＝ＱＡＭ、但しＭ＝２Ｂのような信号コンステレーションにおけるポイントに対応する。階層化されたコーディングが使用されるなら、階層化されたコーディングが使用されるなら、各データシンボルは、複合信号コンステレーションにおけるあるポイントに対応する。複合信号コンステレーションは、２つのスケーリングされた信号コンステレーションの重ね合わせにより形成してもよいし、形成しなくてもよい。上に記載した実施形態の場合、ベースストリームおよびエンハンスメントストリームは、各スーパーフレームごとに同じ数のコードブロックを運ぶ。図１４に示すように、ベースストリームおよびエンハンスメントストリームのためのコードブロックは、同時に送信してもよいし、またはＴＤＭおよび／またはＦＤＭを用いて送信してもよい。
[0117]　図１３に戻ると、チャネライザー１１２０は、Ｎpicデータシンボルストリーム、オーバーヘッドシンボルストリーム、パイロットシンボル、およびガードシンボルを受信するマルチプレクサー１３２０を用いて実施される。マルチプレクサー１３２０は、コントローラー１１４０からのＭＵＸＴＸ制御に基づいて、適切なサブバンドおよびシンボル期間上にデータシンボル、オーバーヘッドシンボル、パイロットシンボルおよびガードシンボルを提供し、合成シンボルストリーム（｛ｓｃ｝）を出力する。サブバンドグループに変調シンボルを割り当てる際に、さらなるレベルの（シンボルの）インターリービングが、擬似ランダム方法における変調シンボルを各サブバンドグループ内のサブバンドに割り当てることにより実行することができる。サブバンドの割り当てを簡単にするために、上に記載されるように、ＰＬＣｓには、スロットが割り当てられてもよい。次に、スロットは、例えば１つのシンボル期間から次のシンボル期間への擬似ランダム方法において異なるサブバンドグループにマッピングしてもよい。サブバンドグループマッピングへのこのスロットは、特定のスロットインデックスに関連した変調シンボルが異なるシンボル期間のためのパイロットサブバンドとは異なった距離を持っていることを保証する。異なるシンボル期間のためのパイロットサブバンドは、性能を改良するかもしれない。」
　
　上記イ．ないし上記ホ．の記載及び関連する図面並びにこの分野における技術常識を考慮すると、
　上記イ．にあるように、引用例には、直交周波数分割多重（ＯＦＤＭ）によるマルチキャリア通信システムにおいて、サービスエリア内の複数の無線装置と無線リンクを介して送受信する基地局が、複数のデータストリームを多重化して送信することについて記載がある。　
　
　上記ロ．ないし上記ホ．及びＦＩＧ．１１，ＦＩＧ．１３，ＦＩＧ．１４の記載によれば、各物理層チャネル（ＰＬＣ）のためのデータストリームは、送信データプロセッサー１３１０で変調されて対応するデータシンボルストリームとされた後、チャネライザー１１２０のマルチプレクサー１３２０により、パイロットシンボルやガードシンボルとともに多重化されて合成シンボルストリームとして出力される。合成シンボルストリームは、ＩＦＦＴ装置１３３０に入力されてＯＦＤＭシンボルのストリームが生成される。
　
　上記ハ．には、ベースストリームとエンハンスメントストリームを結合して１つのデータシンボルストリームとすることについて記載があり、ここで、「ベースストリームは、基地局のサービスエリア内のすべての無線装置に送信される情報を運んでもよい。エンハンスメントストリームは、より良いチャネル条件を観察する無線装置に送信されるさらなる情報を運んでもよい。」との記載から、ベースストリームは、『ブロードキャストサービスのデータストリーム』であり、エンハンスメントストリームは、『非ブロードキャストサービスのデータストリーム』であるといえる。
　特に、上記ホ．の記載及びＦＩＧ．１４の記載によれば、ベースストリームとエンハンスメントストリームは個別に変調された後、マッピングユニット１４３０においてデータシンボルにマッピングされている。ここで、データシンボルは、２つのスケーリングされた信号コンステレーションの重ね合わせにより形成される複合信号コンステレーションにおける１つのポイントに対応するとされている。
　すなわち、ブロードキャストサービスのデータの変調シンボルと前記非ブロードキャリアサービスのデータの変調シンボルとを結合したデータシンボルをマルチプレクサー１３２０に入力することが記載されているといえる。
　このようにしてマルチプレクサー１３２０に入力されたブロードキャストサービスのデータと非ブロードキャストサービスのデータは、ＯＦＤＭシンボルのストリームとして同時に送信されることになる。
　
　上記ホ．の記載によれば、マッピングユニット１４３０には、ベースストリーム用の利得Ｇｂｓおよびエンハンスメントストリーム用の利得Ｇｅｓが入力されており、利得ＧｂｓおよびＧｅｓは、ベースストリームおよびエンハンスメントストリームに使用する送信電力の量をそれぞれ決定している。
　
　したがって、引用例には以下の発明（以下、「引用発明」という。）が開示されている。
　
（引用発明）
　「直交周波数分割多重（ＯＦＤＭ）によるマルチキャリア通信システムにおいてサービスエリア内の複数の無線装置と無線リンクを介して送受信する基地局であって、
　前記基地局は、ＯＦＤＭシンボルを送信することができ、
　前記ＯＦＤＭシンボルは、前記ブロードキャストサービスのデータの変調シンボルと前記非ブロードキャリアサービスのデータの変調シンボルとを結合したデータシンボルを他のＰＬＣのためのシンボルやパイロットシンボルやガードシンボルと多重化して合成した後にＩＦＦＴ装置に印加して得られた複数のサブキャリアを含んで生成され、
　ブロードキャストサービスのストリームと非ブロードキャストサービスのストリームとに対し個別に電力を決定する
　基地局。」
　
（３）対比・判断
　引用発明の「マルチキャリア通信システム」に関し、基地局と無線装置は無線リンクを介して送受信しているから、マルチキャリア通信システムは「無線ネットワーク」を構成しているといえる。また、引用発明の「無線装置」は補正後の発明の「加入局」に相当することは明らかである。
　引用発明の「ＯＦＤＭシンボル」は、ブロードキャストサービスのデータと非ブロードキャストのデータを同時に送信しており、同時に送信している時間期間は「時間スロット」といえるものであり、この「時間スロット」を「第１の時間スロット」と称呼することは任意である。
　引用発明の「ＯＦＤＭシンボル」を、「第１のＯＦＤＭシンボル」と称呼することは任意である。
　引用発明の「ブロードキャストサービスのデータ」は複数の無線装置に送信されるデータであるから、補正後の発明の「複数の第１の加入局に送信されるブロードキャストデータ」に相当する。
　引用発明の「非ブロードキャリアサービスのデータ」は、補正後の発明の「少なくとも１つの選択された加入局に送信されるユニキャストデータ」と、「非ブロードキャリアデータ」である点で共通する。
　引用発明の「変調シンボル」は、ＩＦＦＴ装置に印加される周波数領域の信号であるから「周波数領域変調シンボル」である。また、引用発明の「ＩＦＦＴ装置」が、補正後の発明の「ＩＦＦＴブロック」に相当することは明らかである。
　補正後の発明の「第１のＯＦＤＭシンボル」と引用発明の「ＯＦＤＭシンボル」とは、「前記ブロードキャストデータの周波数領域変調シンボルと前記非ブロードキャストデータの周波数領域変調シンボルとを結合した値をＩＦＦＴブロックの入力に印加することにより生成され」ている点で共通する。
　引用発明のブロードキャストサービスや非ブロードキャストサービスの各「ストリーム」はブロードキャストサービスや非ブロードキャストサービスの各送信信号として無線ネットワークを移動することになるので「トラフィック」であるといえる。
　引用発明の「個別に電力を決定する」は、補正後の発明のように「スペクトル効率を高くするように」、「適応的」であるかは不明であるが、補正後の発明と「電力を割り当てる」点で共通する。
　
　したがって、補正後の発明と引用発明は、以下の点で一致ないし相違している。
　
（一致点）
　「直交周波数分割多重化（ＯＦＤＭ）無線ネットワークのサービスエリアで複数の加入局と通信することができるＯＦＤＭ無線ネットワークで使用される基地局であって、
　前記基地局は、第１の時間スロットで第１のＯＦＤＭシンボルを送信することができ、
　前記第１のＯＦＤＭシンボルは、前記ブロードキャストデータの周波数領域変調シンボルと前記非ブロードキャストデータの周波数領域変調シンボルとを合成した値をＩＦＦＴブロックの入力に印加することにより生成され、
　ブロードキャストトラフィックと非ブロードキャストトラフィックとの間に電力を割り当てる
　基地局。」
　
（相違点）
（１）「非ブロードキャストデータ」に関し、補正後の発明では、「少なくとも１つの選択された加入局に送信されるユニキャストデータ」であるのに対し、引用発明では、「非ブロードキャリアサービスのデータ」である点。
（２）「第１のＯＦＤＭシンボル」に関し、補正後の発明では、周波数変調シンボルを「合算した値をＩＦＦＴブロックの選択された入力に印加」することにより、「複数の第１の加入局に送信されるブロードキャストデータが少なくとも１つの選択された加入局に送信されるユニキャストデータに重畳されている複数の第１のサブキャリア」を含むものとなっているのに対し、引用発明では、周波数変調シンボルを「結合したデータシンボルを他のＰＬＣのためのシンボルやパイロットシンボルやガードシンボルと多重化して合成した後にＩＦＦＴ装置に印加」しているものの、それにより、複数の第１の加入局に送信されるブロードキャストデータが少なくとも１つの選択された加入局に送信される非ブロードキャストデータに重畳されている複数の第１のサブキャリアを含むものとなるのか不明である点。
（３）「電力を割り当てる」に関し、補正後の発明では、「スペクトル効率を高くするように」、「適応的」としているのに対し、引用発明では、そのように電力を割り当てているのか不明である点。
　
　そこで、上記各相違点について検討する。
　まず、上記相違点（１）について検討する。
　引用例の段落［０００６］には、「マルチキャリアシステム内の基地局は、同時にブロードキャスト、マルチキャストおよび／またはユニキャストサービスのために複数のデータストリームを送信してもよい。」と記載されていることから、引用発明において、ブロードキャストサービスのデータである「ベースストリーム」と同時に送信される「エンハンスメントストリーム」を、非ブロードキャストサービスであるユニキャストサービスのストリーム、すなわち、補正後の発明のような「少なくとも１つの選択された加入局に送信されるユニキャストデータ」とすることは当業者が適宜行い得る設計的事項にすぎないものである。
　
　ついで、上記相違点（２）について検討する。
　引用発明では、ブロードキャストサービスのデータの変調シンボルと非ブロードキャリアサービスのデータの変調シンボルとを結合したデータシンボルを他のＰＬＣのためのシンボルやパイロットシンボルやガードシンボルと多重化して合成した後にＩＦＦＴ装置に印加してＯＦＤＭシンボルを得ている。
　ここで、引用例の段落［０１１６］において、「結合したデータシンボル」は複合信号コンステレーションにある１つのポイントに対応するとされ、複合信号コンステレーションは、ブロードキャストサービス及び非ブロードキャストサービスのそれぞれの変調シンボルがそれぞれ対応する２つの信号コンステレーションの重ね合わせにより形成されるものと記載されている。引用例には、「信号コンスタレーションの重ね合わせ」をどのように行っているのかについては具体的な記載はないものの、２つの変調コンステレーションにそれぞれのシンボルを対応させた後、それを「合算」することで新たな信号コンステレーション上のシンボルとすることは周知の技術（Slawomir Pietrzyk and Gerard J.M. Janssen，Subcarrier and Power Allocation for QoS-aware OFDMA Systems Using Embedded Modulation，Communications, 2004 IEEE International Conference on，２００４年　６月２０日，vol.6，pp.3202-3206のＦｉｇ．１及びＦｉｇ．２に関する記載参照）にすぎず、この周知の「信号コンステレーションの合算」技術を「信号コンスタレーションの重ね合わせ」技術として用いることは当業者が適宜為し得ることにすぎない。
　さらに、引用発明では、上記の「結合したデータシンボル」を「他のＰＬＣのためのシンボルやパイロットシンボルやガードシンボルと多重化して合成した後にＩＦＦＴ装置に印加」しているが、多重化して合成することは、各シンボルをＩＦＦＴ装置に並列入力するために行われるものであり、また、各シンボルはＦＩＧ．１３に示されるように、特定のＰＬＣに割り当てられることを前提としていることから、「結合したデータシンボル」が、特定のＰＬＣに含まれるサブキャリアと対応するようにＩＦＦＴ装置に印加されることは明らかである。一方、各変調シンボルをそれぞれサブキャリア１つ１つに対応させてＩＦＦＴによりＯＦＤＭシンボルを生成することは、周知のＯＦＤＭ手法にすぎない。（必要があれば、特開２００４−３２８２５５号公報の段落【０００２】〜【００１０】の記載、特開２００３−２５８７６２号公報の段落【０００２】〜【０００４】の記載参照）以上のことから、引用発明の変調データである「結合したデータシンボル」の値をサブキャリア１つ１つに対応させるべくＩＦＦＴ装置の選択された入力に印加することも当業者が適宜為し得ることである。
　以上のように為せば、上記相違点（１）において、非ブロードキャストサービスのデータをユニキャストサービスのデータとすることが設計的事項であることを含め、引用発明においても「前記第１のＯＦＤＭシンボルは、複数の第１の加入局に送信されるブロードキャストデータが少なくとも１つの選択された加入局に送信されるユニキャストデータに重畳されている複数の第１のサブキャリアを含み、前記第１のＯＦＤＭシンボルは、前記
ブロードキャストデータの周波数領域変調シンボルと前記ユニキャストデータの周波数領域変調シンボルとを合算した値をＩＦＦＴブロックの選択された入力に印加することにより生成され」るものとなる。
　
　最後に、上記相違点（３）について検討する。
　引用発明では、ブロードキャストのストリームと非ブロードキャストのストリームをそれぞれの変調シンボルを結合することで同時に送信することを可能としており、また、結合に際し、ブロードキャストサービスのストリームと非ブロードキャストサービスのストリームの送信電力を個別に決定することが可能である。
　当業者にとって「スペクトル効率を高くするように」送信制御を行うのは当然に考慮されることであって格別なものでなく、引用発明の個別に決定される送信電力を「スペクトル効率を高くするように」、「適応的」に割り当てることは容易に為し得ることにすぎないものである。
　ここで、非ブロードキャストサービスのデータをユニキャストサービスのデータとすることが設計的事項であることは相違点（１）において言及したとおりである。
　
　このように各相違点は格別なものでなく、そして、補正後の発明に関する作用・効果も、引用発明及び周知技術から当業者が予測できる範囲のものである。
　
　以上のとおりであるから、補正後の発明は引用発明及び周知技術に基いて容易に発明することができたものであるから、特許法第２９条第２項の規定により、特許出願の際独立して特許を受けることができないものである。
　
　
　なお、審判請求人は、平成２５年３月１日付けの回答書において、請求項１に記載された「第１のＯＦＤＭシンボル」が「前記複数の第１のサブキャリアによる重畳されたデータの送信と共に、ユニキャストデータを少なくとも一つの選択された加入局に送信する複数の第４のサブキャリア」を含むとする補正案を提示しているので、以下に付記する。
　引用発明は、ＯＦＤＭシンボルについて、「ＯＦＤＭシンボルは、前記ブロードキャストサービスのデータの変調シンボルと前記非ブロードキャリアサービスのデータの変調シンボルとを結合したデータシンボルを他のＰＬＣのためのシンボルやパイロットシンボルやガードシンボルと多重化して合成した後にＩＦＦＴ装置に印加して得られた複数のサブキャリアを含んで生成」される構成を含んでいる。ここで、ＰＬＣ配置としてＦＩＧ．５Ｃの配置をとることができる。
　引用発明の上記構成では、「前記ブロードキャストサービスのデータの変調シンボルと前記非ブロードキャリアサービスのデータの変調シンボルとを結合したデータシンボル」と共に「他のシンボル」がＩＦＦＴ装置に入力されているから、ＯＦＤＭシンボルは、複合シンボルに基づくサブキャリアと共に、他のシンボルに基づく『他のサブキャリア』というべきサブキャリアを含むことになり、これらのサブキャリアは複数の無線装置に対し送信される。ここで、「他のシンボル」は、引用例の段落［０００６］の記載から、ユニキャストサービスのデータストリームから変調したシンボルとすることができるから、『他のサブキャリア』は、当該ユニキャストサービスのデー
タを受信すべき無線装置に対して送信されるサブキャリアとなる。
　したがって、上記相違点（１）、（２）記載の理由及び上述の理由により、当業者であれば、ＯＦＤＭシンボルに、「前記複数の第１のサブキャリアによる重畳されたデータの送信と共に、ユニキャストデータを少なくとも一つの選択された加入局に送信する複数の第４のサブキャリア」を含むようにすることを容易に為し得るものである。
　
４．結語
　以上のとおり、本件補正は、補正後の発明が特許出願の際独立して特許を受けることができないものであるから、平成１８年法律第５５号附則第３条第１項によりなお従前の例によるとされる同法による改正前の特許法第１７条の２第５項において準用する特許法第１２６条第５項の規定に適合していない。
　したがって、本件補正は、特許法第１５９条第１項において読み替えて準用する同法第５３条第１項の規定により却下すべきものである。
　
第３．本願発明について
１．本願発明
　本件補正は上記のとおり却下されたので、本願発明は、上記「第２．補正却下の決定」の「１．本願発明と補正後の発明」の項で「本願発明」として認定したとおりである。　
　
２．引用発明及び周知技術
　引用発明及び周知技術は、上記「第２．補正却下の決定」の項中の「３．独立特許要件について」の「（２）引用発明」及び「（３）対比・判断」の項で認定したとおりである。
　
３．対比・判断
　そこで、本願発明と引用発明とを対比するに、本願発明は補正後の発明から、本件補正に係る構成を省いたものである。
　そうすると、本願発明の構成に本件補正に係る限定を付加した補正後の発明が、上記「第２．補正却下の決定」の項中の「３．独立特許要件について」の項で検討したとおり、引用発明及び周知技術に基いて容易に発明することができたものであるから、上記補正後の発明から本件補正に係る限定を省いた本願発明も、同様の理由により、容易に発明できたものである。
　
４．むすび
　以上のとおり、本願発明は、引用発明及び周知技術に基いて当業者が容易に発明をすることができたものであるから、特許法第２９条第２項の規定により特許を受けることができない。
　
　よって、結論のとおり審決する。